(57)【要約】【課題】状況に応じて荷室のセキュリティの向上と利便性の向上とを図ることができる車両の制御装置を提供する。【解決手段】車室と荷室とが区画された車両に設けられた制御装置１０であって、認証対象者の生体情報を認証する第１の生体認証手段と、前記認証対象者の生体情報を認証する第２の生体認証手段と、前記第１の生体認証手段によって認証が許可された際に前記車室の扉の解錠を行わせる第１の解錠手段２４と、前記第２の生体認証手段によって認証が許可された際に前記荷室の扉の解錠を行わせる第２の解錠手段２５と、前記第２の生体認証手段のセキュリティレベルを変更するレベル変更手段２３と、を具備する。【選択図】図２
2019127782.tif 000002
【特許請求の範囲】
【請求項１】
車室と荷室とが区画された車両に設けられた制御装置であって、
認証対象者の生体情報を認証する第１の生体認証手段と、
前記認証対象者の生体情報を認証する第２の生体認証手段と、
前記第１の生体認証手段によって認証が許可された際に前記車室の扉の解錠を行わせる第１の解錠手段と、
前記第２の生体認証手段によって認証が許可された際に前記荷室の扉の解錠を行わせる第２の解錠手段と、
前記第２の生体認証手段のセキュリティレベルを変更するレベル変更手段と、
を具備することを特徴とする車両の制御装置。
【請求項２】
前記レベル変更手段は、前記第２の生体認証手段の他人受入率を変更することを特徴とする請求項１記載の車両の制御装置。
【請求項３】
前記第２の生体認証手段は、前記認証対象者の異なる種類の生体情報を取得する複数の生体情報取得部を有し、
前記レベル変更手段は、複数の前記生体情報取得部から前記生体情報を取得する生体情報取得部を選択することを特徴とする請求項１又は２記載の車両の制御装置。
【請求項４】
前記荷室の荷物の有無を検出する検出手段を有し、
前記レベル変更手段は、前記検出手段の検出結果に基づいて前記第２の生体認証手段のセキュリティレベルを変更することを特徴とする請求項１から３の何れか一項に記載の車両の制御装置。
【請求項５】
前記車両の外部の気温、天候、騒音、光量、前記車両の位置情報から選択される少なくとも１つの外部環境を検出する外部環境検出手段を具備し、
前記レベル変更手段は、前記外部環境検出手段の検出結果に基づいて前記第２の生体認証手段のセキュリティレベルを変更することを特徴とする請求項１から４の何れか一項に記載の車両の制御装置。
【請求項６】
前記荷室の前記扉の施錠を行わせる複数の施錠手段を具備し、
前記レベル変更手段は、前記荷室の前記扉の施錠を行った前記施錠手段に基づいて、前記第２の生体認証手段のセキュリティレベルを変更することを特徴とする請求項１から５の何れか一項に記載の車両の制御装置。
【請求項７】
前記第２の生体認証手段は、前記認証対象者の異なる種類の生体情報を取得する複数の生体情報取得部を有し、
前記生体情報取得部が前記施錠手段であると共に、
前記レベル変更手段は、前記荷室の前記扉の施錠を行った前記生体情報取得部を選択することを特徴とする請求項６記載の車両の制御装置。
【発明の詳細な説明】
【技術分野】
【０００１】
本発明は、車室と荷室とが区画された車両における車室の扉と荷室の扉とを生体認証によって解錠する車両の制御装置に関する。
【背景技術】
【０００２】
車両に認証対象者の生体情報を認証する生体認証装置を設け、生体認証装置の認証によって車両の扉（ドア）の解錠を行うものが知られている（例えば、特許文献１及び２参照）。
【先行技術文献】
【特許文献】
【０００３】
【特許文献１】特開２００４−９２０７１号公報
【特許文献２】特開２００９−９７２１６号公報
【発明の概要】
【発明が解決しようとする課題】
【０００４】
しかしながら、車室の扉の解錠はセキュリティを高めて盗難などを防ぎたいものの、荷室を常に高いセキュリティの認証によって解錠すると煩雑であり利便性が低くなり、荷室を常に低いセキュリティの認証によって解錠するとセキュリティが低くなるなど、状況によって求められるセキュリティレベルが異なるため、セキュリティレベルと相反する利便性との両方に対応するのは困難であるという問題がある。
【０００５】
本発明はこのような事情に鑑み、状況に応じて荷室のセキュリティの向上と利便性の向上とを図ることができる車両の制御装置を提供することを課題とする。
【課題を解決するための手段】
【０００６】
上記課題を解決する本発明の態様は、車室と荷室とが区画された車両に設けられた制御装置であって、認証対象者の生体情報を認証する第１の生体認証手段と、前記認証対象者の生体情報を認証する第２の生体認証手段と、前記第１の生体認証手段によって認証が許可された際に前記車室の扉の解錠を行わせる第１の解錠手段と、前記第２の生体認証手段によって認証が許可された際に前記荷室の扉の解錠を行わせる第２の解錠手段と、前記第２の生体認証手段のセキュリティレベルを変更するレベル変更手段と、を具備することを特徴とする車両の制御装置にある。
【０００７】
かかる態様では、レベル変更手段が第２の生体認証手段のセキュリティレベルを変更することで、状況に応じて荷室のセキュリティレベルを変更して、荷室のセキュリティの向上と利便性の向上とを図ることができる。また、レベル変更手段が第１の生体認証手段のセキュリティレベルを変更しないことで、車室を高いセキュリティで保護して、車両の盗難を抑制することができる。
【０００８】
ここで、前記レベル変更手段は、前記第２の生体認証手段の他人受入率を変更することが好ましい。これによれば、第２の生体認証手段の他人受入率を変更して、セキュリティレベルを変更することで、状況に応じてセキュリティの向上と利便性の向上とを図ることができる。
【０００９】
また、前記第２の生体認証手段は、前記認証対象者の異なる種類の生体情報を取得する複数の生体情報取得部を有し、前記レベル変更手段は、複数の前記生体情報取得部から前記生体情報を取得する生体情報取得部を選択することが好ましい。これによれば、レベル変更手段が第２の生体認証手段で用いる生体情報の種類を変更することで、さらに利便性を向上することができる。
【００１０】
また、前記荷室の荷物の有無を検出する検出手段を有し、前記レベル変更手段は、前記検出手段の検出結果に基づいて前記第２の生体認証手段のセキュリティレベルを変更することが好ましい。これによれば、荷室の荷物の有無に基づいてレベル変更手段がセキュリティレベルを変更することで、荷物の有無によってセキュリティの向上と利便性の向上とを図ることができる。
【００１１】
また、前記車両の外部の気温、天候、騒音、光量、前記車両の位置情報から選択される少なくとも１つの外部環境を検出する外部環境検出手段を具備し、前記レベル変更手段は、前記外部環境検出手段の検出結果に基づいて前記第２の生体認証手段のセキュリティレベルを変更することが好ましい。これによれば、外部環境に応じてレベル変更手段が第２の生体認証手段のセキュリティレベルを変更することで、さらに利便性を向上することができる。
【００１２】
また、前記荷室の前記扉の施錠を行わせる複数の施錠手段を具備し、前記レベル変更手段は、前記荷室の前記扉の施錠を行った前記施錠手段に基づいて、前記第２の生体認証手段のセキュリティレベルを変更することが好ましい。これによれば、施錠手段に応じてレベル変更手段が第２の生体認証手段のセキュリティレベルを変更することで、さらに利便性を向上することができる。
【００１３】
また、前記第２の生体認証手段は、前記認証対象者の異なる種類の生体情報を取得する複数の生体情報取得部を有し、前記生体情報取得部が前記施錠手段であると共に、前記レベル変更手段は、前記荷室の前記扉の施錠を行った前記生体情報取得部を選択することが好ましい。これによれば、施錠に用いた生体情報に応じてレベル変更手段が第２の生体認証手段のセキュリティレベルを変更することで、さらに利便性を向上することができる。
【発明の効果】
【００１４】
本発明は、認証対象者や車両の外部環境などの様々な状況に応じて、荷室の扉の解錠を行う第２の生体認証手段のセキュリティレベルを変更することができ、状況に応じてセキュリティの向上と利便性の向上とを図ることができる。
【図面の簡単な説明】
【００１５】
【図１】本発明の実施形態１に係る車両の概略構成を示す図である。
【図２】本発明の実施形態１に係る車両の制御装置の機能実現部を示すブロック図である。
【図３】本発明の実施形態１に係る車両の制御装置の動作を説明するフローチャートである。
【図４】本発明の実施形態２に係る車両の制御装置の機能実現部を示すブロック図である。
【図５】本発明の実施形態２に係る車両の制御装置の動作を説明するフローチャートである。
【発明を実施するための形態】
【００１６】
以下に本発明を実施形態に基づいて詳細に説明する。
（実施形態１）
図１は、本発明の実施形態１に係る車両の概略構成を示す図であり、図２は、車両の制御装置の機能実現部を示すブロック図である。
【００１７】
図１に示すように、車両１は、車室２と荷室３とが区画されて設けられている。また、車室２には施錠可能な扉４が設けられており、荷室３には施錠可能な扉５が設けられている。
【００１８】
また、図１及び図２に示すように、車両１には、第１の生体情報取得部１１と第２の生体情報取得部１２と制御部２０とを有する制御装置１０が設けられている。
【００１９】
第１の生体情報取得部１１は、認証対象者の生体情報を取得する。第１の生体情報取得部１１が取得する生体情報としては、認証対象者に接触して取得するものであっても、非接触で取得するものであってもよく、例えば、声紋、顔型、指紋、静脈、虹彩、掌形、網膜などから選択される少なくとも１つが挙げられる。
【００２０】
第２の生体情報取得部１２は、認証対象者の生体情報を取得する。第２の生体情報取得部１２が取得する生体情報としては、第１の生体情報取得部１１と同様に、認証対象者に接触して取得するものであっても、非接触で取得するものであってもよく、例えば、声紋、顔型、指紋、静脈、虹彩、掌形、網膜などから選択される少なくとも１つが挙げられる。
【００２１】
なお、第１の生体情報取得部１１と第２の生体情報取得部１２とが取得する生体情報は、同じ種類の生体情報であってもよく、異なる種類の生体情報であってもよい。ここで言う生体情報の種類とは、声紋、顔型、指紋、静脈、虹彩、掌形、網膜などのことである。また、例えば、第１の生体情報取得部１１と第２の生体情報取得部１２とが同じ種類の生体情報を取得する場合には、異なる部位で生体情報を取得するようにしてもよく、同じ部位で生体情報を取得するようにしてもよい。
【００２２】
制御部２０は、制御装置１０の全体の制御をする要素であり、例えば、ＣＰＵ（Central Processing Unit）またはＦＰＧＡ（Field Programmable Gate Array）等の制御装置と半導体メモリ等の記憶媒体とを含んで構成され（図示略）、記憶装置に記憶されたプログラムを制御装置が実行することで制御を行う。
【００２３】
制御部２０は、第１の認証部２１と第２の認証部２２とレベル変更部２３と第１の解錠部２４と第２の解錠部２５と荷物判定部２６とを具備する。
【００２４】
第１の認証部２１は、第１の生体情報取得部１１が取得した認証対象者の生体情報と、予め登録されている生体情報を比較して認証処理を行う。第１の認証部２１が行う認証処理は、本人拒否率（ＦＲＲ）や他人受入率（ＦＡＲ）が閾値として設定された設定情報に基づいて行われる。本実施形態では、第１の生体情報取得部１１と第１の認証部２１とが第１の生体認証手段に該当する。
【００２５】
第１の解錠部２４は、第１の生体認証手段の認証結果、すなわち、第１の認証部２１の認証結果に基づいて車両１の車室２の扉４の鍵を解錠する。具体的には、第１の解錠部２４からの指令によって車室ドアロック制御部３１が車室２の扉４に取り付けられたドアロックアクチュエータを制御して車室２の扉４の解錠を行わせる。すなわち、本実施形態では、第１の解錠部２４と車室ドアロック制御部３１とが車室２の扉４の解錠を行わせる第１の解錠手段に該当する。なお、車室ドアロック制御部３１は、例えば、車室２の全ての扉４の解錠及び施錠の制御を行うものであり、第１の解錠部２４からの指令により、車室２の全ての扉４の解錠を行わせるようにしてもよく、運転席の扉４のみの解錠を行わせるようにしてもよい。
【００２６】
第２の認証部２２は、第２の生体情報取得部１２が取得した認証対象者の生体情報と、予め登録されている生体情報を比較して認証処理を行う。第２の認証部２２が行う認証処理は、本人拒否率（ＦＲＲ）や他人受入率（ＦＡＲ）が閾値として設定された設定情報に基づいて行われる。本実施形態では、第２の生体情報取得部１２と第２の認証部２２とが第２の生体認証手段に該当する。
【００２７】
第２の解錠部２５は、第２の生体認証手段の認証結果、すなわち、第２の認証部２２の認証結果に基づいて車両１の荷室３の扉５の解錠を行わせる。具体的には、第２の解錠部２５からの指令によって荷室ドアロック制御部３２が荷室３の扉５に取り付けられたドアロックアクチュエータを制御して荷室３の扉５の解錠を行わせる。すなわち、本実施形態では、第２の解錠部２５と荷室ドアロック制御部３２とが荷室３の扉５の解錠を行わせる第２の解錠手段に該当する。
【００２８】
レベル変更部２３は、レベル変更手段に該当し、第２の生体認証手段の第２の認証部２２が認証する際のセキュリティレベルを変更する。本実施形態では、レベル変更部２３は、第２の生体認証手段の第２の認証部２２が認証する際の他人受入率を変更する。すなわち、レベル変更部２３が、第２の生体認証手段のセキュリティレベルを変更するとは、第２の生体認証手段の他人受入率を変更することを含む。
【００２９】
つまり、レベル変更部２３は、第２の認証部２２の認証時の他人受入率を低くしてセキュリティレベルを高くする。ただし、他人受入率と本人拒否率とはトレードオフの関係にあるため、他人受入率を低くするとセキュリティレベルは高くなるものの本人拒否率も高くなり、利便性が低下する。
【００３０】
また、レベル変更部２３は、第２の認証部２２の認証時の他人受入率を低くすることで他人受入率を高くしてセキュリティレベルを低くする。他人受入率を高くするとセキュリティは低くなるものの本人拒否率も低くなり、利便性が向上する。
【００３１】
このようにレベル変更部２３が荷室３の扉５の解錠を行う第２の生体認証手段のセキュリティレベルを変更することで、状況によって荷室３の求められるセキュリティの変化に対応することができ、状況に応じてセキュリティの向上、および、利便性の向上を図ることができる。
【００３２】
ちなみに、第１の生体認証手段のセキュリティレベルは常に高い方が好ましい。これにより、偽造された生体情報等によって車室２に侵入されて車両１を走行させて盗難されるのを抑制することができる。
【００３３】
なお、第１の生体認証手段と第２の生体認証手段とのセキュリティレベルは異なるのが好ましい。ここで、第１の生体認証手段と第２の生体認証手段とのセキュリティレベルが異なるとは、例えば、第１の生体認証手段の第１の認証部２１が認証する際の他人受入率と、第２の生体認証手段の第２の認証部２２が認証する際の他人受入率と、が異なることを言う。また、第１の生体認証手段が取得する生体情報と、第２の生体認証手段が取得する生体情報とが種類の異なる（認証方式の異なる）生体情報であっても、判定の正確さや生体情報の偽造のし易さなどから他人受入率が異なるため、セキュリティレベルを比較することができる。
【００３４】
また、レベル変更部２３による第２の生体認証手段のセキュリティレベルの変更は、例えば、第１の生体認証手段によって認証が許可された認証対象者による操作で行ってもよく、荷室３の荷物の有無によって自動的に行うようにしても良い。
【００３５】
本実施形態の制御装置１０には、荷室３の荷物の有無を検出する検出手段を具備し、レベル変更部２３は、検出手段が検出した荷物の有無に基づいて第２の生体認証手段のセキュリティレベルを変更する。
【００３６】
検出手段は、荷室３に設けられて荷物を検出する検出部３３と、制御部２０に設けられて検出部３３が検出した信号に基づいて荷室３の荷物の有無を判定する荷物判定部２６と、を具備する。
【００３７】
検出部３３は、荷物の重量を検出する重量センサ、荷物の有無を直接検出する赤外線センサやカメラ等の撮像手段などを用いることができる。荷物判定部２６は、検出部３３が検出した信号に基づいて荷室３の荷物の有無を判定する。
【００３８】
そして、レベル変更部２３は、荷物判定部２６が判定した荷物の有無に基づいて、第２の生体認証手段のセキュリティレベルを変更する。例えば、荷物判定部２６が荷室３に荷物がないと判定したら、レベル変更部２３は、第２の認証部２２が認証する際の他人受入率を高くしてセキュリティレベルを低くする。これにより、本人拒否率が低くなり、荷物がない場合に荷室３の扉の解錠を容易に行うことができ、利便性を向上することができる。なお、このときのセキュリティレベルは、車室２の扉を解錠する第１の生体認証手段の認証時のセキュリティレベルよりも低くする。これにより、車室の扉を解錠する際のセキュリティレベルを下げることがなく、車両１を走行させての盗難等を抑制しつつ、荷室３の扉を解錠する際のセキュリティレベルを低下させて利便性を向上することができる。
【００３９】
また、荷物判定部２６が荷室３に荷物があると判定したら、レベル変更部２３は、第２の認証部２２が認証する際の他人受入率を低くしてセキュリティレベルを高くする。これにより、荷室３の扉が容易に解錠されるのを抑制して、荷室３内の荷物が盗難されるのを抑制することができる。
【００４０】
なお、検出手段は、荷物の有無に加えて、荷物の種類を識別するようにしてもよい。例えば、検出部３３として、カメラ等の撮像手段によって撮影し、検出部３３が撮影した画像から荷物判定部２６が画像処理によって荷物の種類、例えば、鞄、ゴルフバッグ、レジ袋等のビニール袋を識別するようにしてもよい。
【００４１】
そして、レベル変更部２３は、検出手段が識別した荷物の種類によって第２の生体認証手段のセキュリティレベルを変更するようにしてもよい。例えば、検出手段は、鞄やゴルフバックを識別したら第２の生体認証手段のセキュリティレベルを高くし、検出手段がレジ袋等のビニール袋を識別したら第２の生体情報手段のセキュリティレベルを低くすればよい。これにより荷室３のセキュリティの向上と利便性の向上とを図ることができる。
【００４２】
ここで、このような本実施形態の車両の制御装置の動作について図３を参照して説明する。なお、図３は、車両の制御装置の動作を説明するフローチャートである。
【００４３】
ステップＳ１で、荷室３の扉の鍵が施錠されると、ステップＳ２で検出手段が荷室３の荷物の有無を検出する。検出手段が荷室３に荷物がないと判定したら（ステップＳ２；Ｎｏ）、ステップＳ３で、レベル変更部２３が第２の生体認証手段の他人受入率を高くして、セキュリティレベルを低くする。
【００４４】
また、ステップＳ２で、検出手段が荷室３に荷物があると判断したら（ステップＳ２；Ｙｅｓ）、ステップＳ４で、レベル変更部２３が第２の生体認証手段の他人受入率を低くして、セキュリティレベルを高くする。なお、本実施形態では、ステップＳ２において、検出手段が荷室３に荷物があると判断した場合に、ステップＳ４でレベル変更部２３が第２の生体認証手段のセキュリティレベルを高くするようにしたが、特にこれに限定されず、例えば、第２の生体認証手段のセキュリティレベルの規定値を予め高く設定しておけば、ステップＳ４を省略してもよい。
【００４５】
次に、ステップＳ５で、第２の生体認証手段による認証処理を行う。具体的には、第２の生体情報取得部１２が認証対象者の生体情報を取得し、第２の生体情報取得部１２が取得した生体情報を用いて第２の認証部２２が認証処理を行う。ステップＳ５で第２の生体認証手段が認証を許可したら（ステップＳ５；Ｙｅｓ）、ステップＳ６で、第２の解錠手段が荷室３の扉の解錠を行う。
【００４６】
また、ステップＳ５で、第２の生体認証手段が認証を拒否したら（ステップＳ５；Ｎｏ）、新たな生体情報によって認証処理が実施されるまで待機状態となる。
【００４７】
以上説明したように、本実施形態の車両１の制御装置１０では、車室２と荷室３とが区画された車両１に設けられた制御装置１０であって、認証対象者の生体情報を認証する第１の生体認証手段と、認証対象者の生体情報を認証する第２の生体認証手段と、第１の生体認証手段によって認証が許可された際に車室の扉の解錠を行わせる第１の解錠手段と、第２の生体認証手段によって認証が許可された際に荷室３の扉の解錠を行わせる第２の解錠手段と、第２の生体認証手段のセキュリティレベルを変更するレベル変更手段であるレベル変更部２３と、を具備する。
【００４８】
このように荷室３の扉の解錠を行う第２の生体認証手段のセキュリティレベルを変更するレベル変更部２３を設けることで、状況に合わせて荷室３のセキュリティレベルを変更することができる。したがって、状況に応じて荷室３のセキュリティの向上と利便性の向上とを図ることができる。
【００４９】
また、本実施形態の車両１の制御装置１０では、レベル変更手段であるレベル変更部２３は、第２の生体認証手段の他人受入率を変更することが好ましい。これによれば、レベル変更部２３が、第２の生体認証手段の他人受入率を変更して荷室３のセキュリティレベルを容易に変更することができる。また、荷室３のセキュリティレベルの変更に種類の異なる生体情報を使用する必要がないため、第２の生体認証手段には、異なる生体情報を取得するための複数の第２の生体情報取得部を設ける必要がなく、部品点数を減少させてコストを低減することができる。
【００５０】
また、本実施形態の車両１の制御装置１０では、荷室３の荷物の有無を検出する検出手段を有し、レベル変更手段であるレベル変更部２３は、検出手段の検出結果に基づいて第２の生体認証手段のセキュリティレベルを変更することが好ましい。このように、レベル変更部２３は、荷室３の荷物の有無に応じて荷室３のセキュリティレベルを変更することができるため、認証対象者がセキュリティレベルの設定を行う必要がなく、セキュリティの向上及び利便性の向上を容易に図ることができる。
【００５１】
なお、本実施形態では、荷室３の荷物の有無を検出する検出手段を設け、荷物の有無によって第２の生体認証手段のセキュリティレベルを変更するようにしたが、特にこれに限定されず、例えば、検出手段を設けずに、認証対象者が荷室３のセキュリティレベルを解錠前に予め設定するようにしてもよい。
【００５２】
（実施形態２）
図４は、本実施形態の実施形態２に係る車両の制御装置の機能実現部を説明するブロック図である。なお、上述した実施形態と同様の部材には同一の符号を付して重複する説明は省略する。
【００５３】
図４に示すように、制御装置１０には、第２の生体認証手段として、種類の異なる生体情報を取得する複数の第２の生体情報取得部１２が設けられている。本実施形態では、声紋情報を取得する声紋情報取得部１２１と、顔情報を取得する顔情報取得部１２２と、指紋情報を取得する指紋情報取得部１２３と、静脈情報を取得する静脈情報取得部１２４と、の合計４つの第２の生体情報取得部１２が設けられている。もちろん、第２の生体情報取得部が取得する生体情報の種類、および、数は上述したものに限定されるものではない。
【００５４】
また、本実施形態のレベル変更手段であるレベル変更部２３は、複数の第２の生体情報取得部１２から１つの第２の生体情報取得部１２を選択することでセキュリティレベルを変更する。すなわち、第２の認証部２２は、レベル変更部２３が選択した特定の第２の生体情報取得部１２が取得した生体情報を使用して認証処理を実行する。つまり、第２の認証部２２は、レベル変更部２３が選択していないその他の第２の生体情報取得部１２が取得した生体情報は認証処理を実行しない。これにより、レベル変更部２３が複数の第２の生体情報取得部１２から取得する生体情報の種類を特定してセキュリティレベルを変更することができる。ちなみに、種類の異なる生体情報は、生体情報の偽造のし易さなどからセキュリティレベルが異なる。したがって、レベル変更部２３が、第２の生体情報取得手段のセキュリティレベルを変更するとは、レベル変更部２３が、第２の生体認証手段が認証する生体情報の種類を変更することを含む。つまり、レベル変更部２３が、第２の生体情報取得手段のセキュリティレベルを変更するとは、レベル変更部２３が、第２の生体情報取得手段の他人受入率を変更することなく、取得する生体情報の種類を変更することを含む。すなわち、レベル変更部２３が第２の生体認証手段のセキュリティレベルを変更するとは、上述した実施形態１のように第２の生体認証手段の他人受入率を変更すること、本実施形態のように第２の生体認証手段が認証する生体情報の種類を変更すること、および、その両方を変更すること、を含むものである。
【００５５】
このように本実施形態では、レベル変更部２３が、第２の生体認証手段において認証に使用する生体情報の種類を変更することで、状況に合わせて異なる生体情報を荷室３の解錠の認証に使用することができ、車両１や認証対象者の様々な状況に応じてセキュリティを向上することができると共に利便性を向上することができる。
【００５６】
また、本実施形態の制御装置１０は、車両１の外部の環境である外部環境を検出する外部環境検出手段を具備する。外部環境検出手段は、車両１の外部の気温、天候、騒音、光量、車両の位置情報から選択される少なくとも１つの外部環境を検出する外部環境検出部３４と、制御部２０に設けられて外部環境検出部３４が検出した信号から外部環境を判定する外部環境判定部２７と、を具備する。
【００５７】
外部環境検出部３４は、例えば、車両１の外部の気温を測定する温度センサ、天候として雨や雪を検出する水分センサ、湿度センサ又は気圧センサ、騒音を測定する騒音計、車両１の外部の光の強度を検出する光センサ、車両の位置情報としてＧＰＳを受信するＧＰＳ受信機、などを用いることができる。
【００５８】
外部環境判定部２７は、外部環境検出部３４が検出した信号から外部環境を判定する。  レベル変更部２３は、外部環境判定部２７が判定した外部環境に基づいて荷室３のセキュリティレベル、すなわち、第２の生体認証手段のセキュリティレベルを変更、すなわち、第２の生体認証手段において認証に使用する生体情報の種類を変更する。
【００５９】
ここで例えば、車両１の外気温が常温よりも低い（寒い）場合には、外気温の影響で静脈などの生体情報は正確に取得し難く、正確な生体情報で認証が行われずに認証が許可され難い。このため、外部環境検出部３４が車両１の外気温を検出し、外部環境検出部３４が検出した外気温が常温を含む設定された温度範囲よりも低いと外部環境判定部２７が判定した場合には、レベル変更部２３は、第２の生体認証手段において認証に使用する生体情報の種類を外気温の影響を受け難い生体情報、例えば、顔型、虹彩、声紋などの生体情報による認証に変更する。このように、車両１の外部の気温によって正しく生体情報が取得できない場合であっても、第２の生体情報認証手段の他人受入率を変更することなく、外気温の影響を受け難い他の生体情報によって認証を行うことで、セキュリティの向上および利便性の向上を図ることができる。
【００６０】
また、例えば、車両１の外部の天候が雨や雪などの場合には、生体又は第２の生体情報取得部１２に水分が付着することによって静脈や指紋などを撮像する生体情報は正確に取得し難く、正確な生体情報で認証が行われずに認証が許可され難い。このため、外部環境検出部３４が雨または雪を検出し、外部環境検出部３４が雨または雪と判定した場合には、レベル変更部２３は、第２の生体認証手段において認証に使用する生体情報の種類を雨や雪に影響を受け難い生体情報、例えば、声紋などの生体情報による認証に変更する。このように、車両１の外部の天候によって正しく生体情報が取得できない場合であっても、第２の生体情報認証手段の他人受入率を変更することなく、天候の影響を受け難い他の生体情報によって認証を行うことで、セキュリティの向上および利便性の向上を図ることができる。
【００６１】
また、例えば、車両１の外部の騒音が大きい場合には、騒音の影響で声紋などの生体情報は取得し難く、正確な生体情報で認証が行われずに認証が許可され難い。このため、外部環境検出部３４が車両１の外部の騒音を検出し、外部環境検出部３４が検出した外部の騒音が所定の騒音よりも高いと外部環境判定部２７が判定した場合には、レベル変更部２３は、第２の生体認証手段において認証に使用する生体情報の種類を騒音の影響を受け難い生体情報、例えば、顔型、虹彩、静脈、指紋などの生体情報による認証に変更する。このように、車両１の外部の騒音によって正しく生体情報が取得できない場合であっても、第２の生体情報認証手段の他人受入率を変更することなく、騒音の影響を受け難い他の生体情報によって認証を行うことがで、セキュリティの向上および利便性の向上を図ることができる。
【００６２】
また、例えば、車両１の外部の光の強度が低い、すなわち、暗い場合には、虹彩、顔型、掌形等の生体情報は取得し難く、正確な生体情報で認証が行われずに認証が許可され難い。このため、外部環境検出部３４が車両１の外部の光の強度を検出し、外部環境検出部３４が検出した光の強度が所定の閾値よりも低い（暗い）と外部環境判定部２７が判定した場合には、レベル変更部２３は、第２の生体認証手段において認証に使用する生体情報の種類を光の影響を受け難い生体情報、例えば、静脈や声紋などの生体情報による認証に変更する。このように、車両１の外部の明暗によって正しく生体情報が取得できない場合であっても、第２の生体情報認証手段の他人受入率を変更することなく、光の影響を受け難い他の生体情報によって認証を行うことで、セキュリティの向上および利便性の向上を図ることができる。
【００６３】
また、外部環境検出部３４が車両１の位置情報を検出するＧＰＳ受信機などの場合には、外部環境判定部２７は、外部環境検出部３４が検出した車両１の位置情報が登録されている場所、例えば、自宅の駐車場所であると判定した場合には、レベル変更部２３は第２の生体認証手段のセキュリティレベルが低くなる生体情報を取得するように変更してもよい。すなわち、自宅の駐車場所以外では、静脈や指紋などの生体情報で認証を行い、自宅の駐車場所では、静脈や指紋よりもセキュリティレベルの低い認証、例えば、声紋による認証に変更すればよい。これにより、特定の場所において荷室３の認証が許可されやすくなり、荷室３の利便性を向上することができる。
【００６４】
なお、外部環境検出手段は、車両１の外部の気温、天候、騒音、光量、車両１の位置情報から２つ以上を同時に検出するようにしてもよい。これにより、さらに利便性を向上することができる。
【００６５】
ここで、本実施形態の車両の制御装置１０の動作について図５を参照して説明する。なお、図５は、車両の制御装置の動作を説明するフローチャートである。
【００６６】
ステップＳ１１で、荷室３の扉の鍵が施錠されると、ステップＳ１２で外部環境検出手段が車両１の外部環境を検出する。次にステップＳ１３で、外部環境検出手段に基づいてレベル変更部２３が第２の生体認証手段のセキュリティレベルを設定する。なお、レベル変更部２３による第２の生体認証手段のセキュリティレベルの変更は上述の通りである。  次に、ステップＳ１４で、第２の生体認証手段による認証処理を行う。具体的には、第２の生体情報取得部１２が認証対象者の生体情報を取得し、第２の生体情報取得部１２が取得した生体情報を用いて第２の認証部２２が認証処理を行う。ステップＳ１４で第２の生体認証手段が認証を許可したら（ステップＳ１４；Ｙｅｓ）、ステップＳ１５で、第２の解錠手段が荷室３の扉の解錠を行う。
【００６７】
また、ステップＳ１４で、第２の生体認証手段が認証を拒否したら（ステップＳ１４；Ｎｏ）、新たな生体情報によって認証処理が実施されるまで待機状態となる。
【００６８】
以上説明したように、本実施形態の車両の制御装置１０では、第２の生体認証手段は、認証対象者の異なる種類の生体情報を取得する複数の生体情報取得部である第２の生体情報取得部１２を有し、レベル変更手段であるレベル変更部２３は、複数の第２の生体情報取得部１２から生体情報を取得する第２の生体情報取得部を選択する。このように複数の第２の生体情報取得部１２から第２の生体情報取得部１２を選択してセキュリティレベルを変更することで、外部環境などの影響で認証し難い生体情報を取得させずに、正確な生体情報取得させることができ、第２の生体情報認証手段の他人受入率を変更することなく、セキュリティを向上することができると共に利便性を向上することができる。
【００６９】
また、本実施形態の車両１の制御装置１０では、車両１の外部の気温、天候、騒音、光量、車両１の位置情報からから選択される少なくとも１つの外部環境を検出する外部環境検出手段を具備し、レベル変更手段であるレベル変更部２３は、外部環境検出手段の検出結果に基づいて第２の生体認証手段のセキュリティレベルを変更するようにした。このように、外部環境に応じて、セキュリティレベルを変更することで、荷室３の利便性をさらに向上することができる。
【００７０】
なお、本実施形態であっても、上述した実施形態１と同様に、荷室３の荷物の有無を検出する検出手段を設け、荷室３の荷物の有無に基づいてレベル変更部２３が第２の生体認証手段のセキュリティレベルの変更を行うようにしてもよい。
【００７１】
もちろん、複数の第２の生体情報取得部１２は、上述した実施形態１に設け、レベル変更部２３は、複数の第２の生体情報取得部１２から１つを選択することでセキュリティレベルを変更するようにしてもよい。
【００７２】
また、車両１の制御装置１０には、荷室３の扉５の施錠を行う複数の施錠手段を設け、荷室３の扉５を施錠する際に使用した施錠手段に基づいてレベル変更部２３は、第２の生体認証手段のセキュリティレベルを変更するようにしてもよい。このような複数の施錠手段としては、例えば、スイッチの操作、音声認識などが挙げられる。
【００７３】
また、本実施形態の制御装置１０は、複数の第２の生体情報取得部１２を具備するため、第２の生体情報取得部１２を施錠手段として用いるようにしてもよい。すなわち、荷室３の扉５が解錠された状態で、第２の生体情報取得部１２が生体情報を取得することで、施錠を行う。また、レベル変更部２３は、施錠に用いた第２の生体情報取得部１２が解錠時にも使用されるように第２の生体認証手段のセキュリティレベルを変更する。これにより、施錠時に施錠した生体情報によって解錠を行うことができる。したがって、状況に応じて第２の生体認証手段のセキュリティレベルを任意に変更することができ、利便性を向上することができる。
【００７４】
また、本実施形態では、車両１の外部の環境を検出する外部環境検出手段を設けるようにしたが、特にこれに限定されず、外部環境検出手段を設けずに、レベル変更部２３による第２の生体認証手段が認証する生体情報の種類の変更は、上述した実施形態１と同様に、第１の生体認証手段によって認証が許可された認証対象者による操作で行ってもよく、荷室３の荷物の有無によって自動的に行うようにしても良い。  
【００７５】
（他の実施形態）
以上、本発明の各実施形態について説明したが、本発明の基本的な構成は上述したものに限定されるものではない。
【００７６】
例えば、上述した各実施形態では、第１の認証部と第２の認証部との両方を設けるようにしたが、特にこれに限定されず、１つの認証部によって第１の生体情報取得部が取得した生体情報と第２の生体情報取得部が取得した生体情報との認証を行うようにしてもよい。
【００７７】
また、上述した各実施形態では、第１の生体認証手段である第１の生体情報取得部１１と、第２の生体認証手段である第２の生体情報取得部１２との両方を設けるようにしたが、特にこれに限定されず、例えば、第１の生体情報取得部１１と第２の生体情報取得部１２とを兼ねるようにしてもよい。
【００７８】
また、上述した実施形態２の外部環境検出部３４および外部環境判定部２７を含む外部環境検出手段を実施形態１に設けるようにしてもよい。すなわち、上述した実施形態１のレベル変更部２３は、外部環境検出手段が検出した車両１の外部環境に基づいて第２の生体認証手段の他人受入率を変更してセキュリティレベルを変更するようにしてもよい。
【００７９】
例えば、車両１の外気温が常温よりも高い場合や低い場合には、外気温の影響で生体情報を正しく取得できず、取得した生体情報によって認証が許可され難い。このため、外部環境検出部３４が車両１の外気温を検出し、外部環境検出部３４が検出した外気温が常温を含む設定された温度範囲よりも高い、または、低いと外部環境判定部２７が判定した場合には、レベル変更部２３は、第２の生体認証手段のセキュリティレベルが低くなるように、すなわち、他人受入率が高くなるように変更する。これにより、外気温が高い場合や低い場合などに正しく生体情報が取得できない場合であっても、本人拒否率を低下させて認証が許可され易くなり、利便性を向上することができる。
【００８０】
また、例えば、車両１の外部の天候が雨や雪などの場合には、生体又は第２の生体情報取得部１２に水分が付着することによって正しい生体情報を取得できず、取得した生体情報によって認証が許可され難い。このため、外部環境検出部３４が雨または雪を検出し、外部環境検出部３４が雨または雪と判定した場合には、レベル変更部２３は、第２の生体認証手段のセキュリティレベルが低くなるように、すなわち、他人受入率が高くなるように変更する。これにより、雨や雪によって正しく生体情報が取得できない場合であっても、本人拒否率を低下させて認証が許可され易くなり、利便性を向上することができる。
【００８１】
また、例えば、車両１の外部の光の強度によって正しい生体情報を取得できず、取得した生体情報によって認証が許可され難い。このため、外部環境検出部３４が光の強度を検出し、外部環境検出部３４が検出した光の強度が低いと外部環境判定部２７が判定した場合には、レベル変更部２３は、第２の生体認証手段のセキュリティレベルが低くなるように、すなわち、他人受入率が高くなるように変更する。これにより光の強度が低い場合であっても、本人拒否率を低下させて、利便性を向上することができる。
【００８２】
また、例えば、外部環境検出部３４が車両１の位置情報を検出するＧＰＳ受信機などの場合には、外部環境判定部２７は、外部環境検出部３４が検出した車両１の位置情報が登録されている場所、例えば、自宅の駐車場所であると判定した場合には、レベル変更部２３は第２の生体認証手段のセキュリティレベルが低くなるように、すなわち、他人受入率が高くなるように変更する。これにより、特定の場所において荷室３の認証が許可されやすくなり、荷室３の利便性を向上することができる。
【００８３】
なお、本発明におけるレベル変更手段による第２の生体認証手段のセキュリティレベルの変更は、上述した実施形態１のレベル変更部２３による第２の生体認証手段の他人受入率の変更と、実施形態２のレベル変更部２３による第２の生体認証手段が認証する生体情報の種類の変更と、の両方を行うものであってもよい。つまり、レベル変更手段は、第１の生体認証手段によって認証が許可されたユーザによる操作、荷室３の荷物の有無、外部環境検出手段が検出した車両１の外部環境から選択される少なくとも１つに基づいて、第２の生体認証手段が認証する生体情報の種類の変更と、第２の生体認証手段の他人受入率の変更と、を行うようにしてもよい。また、レベル変更手段による第２の生体認証手段の生体情報の種類の変更と他人受入率の変更とは、同じ情報に基づいて行うようにしてもよく、異なる情報に基づいて行うようにしてもよい。
【符号の説明】
【００８４】
１  車両
２  車室
３  荷室
４  扉
５  扉
１０  制御装置
１１  第１の生体情報取得部
１２  第２の生体情報取得部
２０  制御部
２１  第１の認証部
２２  第２の認証部
２３  レベル変更部（レベル変更手段）
２４  第１の解錠部
２５  第２の解錠部
２６  荷物判定部
２７  外部環境判定部
３１  車室ドアロック制御部
３２  荷室ドアロック制御部
３３  検出部
３４  外部環境検出部
１２１  声紋情報取得部
１２２  顔情報取得部
１２３  指紋情報取得部
１２４  静脈情報取得部
【図１】
2019127782.tif 000003
【図２】
2019127782.tif 000004
【図３】
2019127782.tif 000005
【図４】
2019127782.tif 000006
【図５】
2019127782.tif 000007